(57)【特許請求の範囲】
【請求項１】
洗濯屑を捕集するために設けられた袋状の外側ネットと、捕集された洗濯屑が外側ネットの外側に逆流することを防止するために、上記外側ネットの周端部近傍内側に設けられた弁状の内側ネットと、外側ネットの周端部および内側ネットの基端部の開放形状を維持するために設けられたネット支持具とを有する洗濯屑捕集具であって、
捕集された洗濯屑を外側ネットの底部に滞留させるために、内側ネットの開口端と外側ネットの底部との間に外側ネットの縮径部を備え、
上記縮径部は、外側ネットの側面に縫製された紐状の弾性部材により、外側ネットを縮径させて形成されたものであり、当該弾性部材が伸張することにより、弾性的に拡径可能であることを特徴とする洗濯屑捕集具。
【請求項２】
上記内側ネットと、上記外側ネットとは、上記内側ネットの基端部が、上記外側ネットの周端部近傍内側に縫製されて外側ネットと一体になっていることを特徴とする請求項１記載の洗濯屑捕集具。
【請求項３】
洗濯屑を捕集するために設けられた袋状の外側ネットと、
外側ネットの周端部の開放形状を維持するために設けられたネット支持具とを有する洗濯屑捕集具であって、
捕集された洗濯屑を外側ネットの底部に滞留させるために、外側ネットの周端部と外側ネットの底部との間に外側ネットの縮径部を備え、
上記縮径部は、外側ネットの側面に縫製された紐状の弾性部材により、外側ネットを縮径させて形成されたものであり、当該弾性部材が伸張することにより、弾性的に拡径可能であることを特徴とする洗濯屑捕集具。
【発明の詳細な説明】
【０００１】
【発明の属する技術分野】
本発明は電気洗濯機等において洗濯屑を捕集するために考案された洗濯屑捕集具に関するものである。
【０００２】
【従来の技術】
一般に、電気洗濯機等において洗濯機槽内で発生する洗濯屑を捕集するための洗濯屑捕集具としては、従来、洗濯屑を捕集するために設けられた袋状の外側ネットと、捕集された洗濯屑が外側ネットの外側に逆流することを防止するために上記外側ネットの周端部近傍内側に設けられた弁状の内側ネットと、外側ネットの周端部および内側ネットの基端部の開放形状を維持するために設けられたネット支持具とを有する洗濯屑捕集具の技術が種々開発されている。
【０００３】
例えば、実開昭５７−１８９５７４号公報には、円形の枠体に網袋を取り付けた洗濯機の糸屑除去具において、網袋の内側にさらに、もう一つの逆円錐形の内袋を取り付けるとともに、内袋の底部に放射状の数個の切れ目が入れられたことを特徴とする糸屑除去具の技術が開示されている。
【０００４】
また、実開平７−１６７８９号公報には、内側ネットと、外側ネットとにより構成される二重構造の洗濯屑捕集袋を有する洗濯屑捕集具であって、内側ネットの開口部に備えられた支持用内リング体が、外側ネットの開口部に備えられた支持用外リング体と略同径で、且つある程度弾力性を有するプラスチックで形成され、外リング体の下側に内リング体を挿入して成ることを特徴とする洗濯屑捕集具の技術が開示されている。
【０００５】
【発明が解決しようとする課題】
しかしながら、上述の公報に開示された洗濯屑捕集具の技術は、いずれも洗濯屑が逆流することを防止する内側ネットを設けていても、この内側ネットだけで逆止弁的機能を持たせることは困難であり、一旦内側ネットと外側ネットとに捕集された洗濯屑が、洗濯を続行する過程で洗濯槽内の水流の変化により再び洗濯槽内に流れ出てしまうことが少なからずあり、洗濯屑の捕集効率が十分とは言えなかった。
【０００６】
また、上記実開平７−１６７８９号公報に開示されている技術のように、外側ネットと、内側ネットとのそれぞれに開口部の開放形状を略円形に維持するためのネット支持具を別々に設けることは、部品点数が増加するだけでなく、製造工程において外側ネットと内側ネット両ネットの取り扱いが煩雑であるなど製造に係るコストが増大する要因となっていた。
【０００７】
本発明は上記不具合に鑑みてなされたものであり、一旦外側ネットに捕集された洗濯屑が外側ネットの外側に逆流することをより効果的に防止することができるだけでなく、外側ネットと内側ネット両ネットの取り扱いが容易で、製造に係るコストを低減することができる洗濯屑捕集具を提供することを課題としている。
【０００８】
【課題を解決するための手段】
上記課題を解決するための本発明は、洗濯屑を捕集するために設けられた袋状の外側ネットと、捕集された洗濯屑が外側ネットの外側に逆流することを防止するために、上記外側ネットの周端部近傍内側に設けられた弁状の内側ネットと、外側ネットの周端部および内側ネットの基端部の開放形状を維持するために設けられたネット支持具とを有する洗濯屑捕集具であって、捕集された洗濯屑を外側ネットの底部に滞留させるために、内側ネットの開口端と外側ネットの底部との間に外側ネットの縮径部を備え、上記縮径部は、外側ネットの側面に縫製された紐状の弾性部材により、外側ネットを縮径させて形成されたものであり、当該弾性部材が伸張することにより、弾性的に拡径可能であることを特徴とする洗濯屑捕集具である。
【０００９】
本発明によれば、内側ネットの開口端と外側ネットの底部との間に設けられた外側ネットの縮径部が、捕集された洗濯屑を外側ネットの底部に滞留させるので、一旦外側ネットに捕集された洗濯屑が外側ネットの外側に逆流することをより効果的に防止することができる。
【００１１】
また、外側ネットの側面に縫製された紐状の弾性部材により、外側ネットを縮径させて縮径部が形成されており、この縮径部は、当該弾性部材が伸張することにより、弾性的に拡径可能であるので、洗濯屑捕集具の開口部から底部に向かう水流により拡径して洗濯屑を容易に外側ネットの底部に導入することができるとともに、水流が弱まったり流れの方向が変化した場合には、弾性的に縮径部が縮んで洗濯屑が流出するのを防止することができる。また、洗濯屑の捕集後に手の指等で縮径部を拡径すれば、外側ネットの底部に滞留している洗濯屑を縮径部において通過させ易く、このため、洗濯屑を外側ネットの外側に簡単に取り出すことができる。
【００１２】
本発明の好ましい態様は、上記内側ネットと、上記外側ネットとは、上記内側ネットの基端部が、上記外側ネットの周端部近傍内側に縫製されて外側ネットと一体になっていることである。
【００１３】
この好ましい態様によれば、上記外側ネットの周端部近傍内側に、内側ネットの基端部が、縫製されて外側ネットと、内側ネットとが一体になっているので、内側ネット用のネット支持具が不要になるだけでなく、外側ネットの周端部をネット支持具に取り付けるだけで、外側ネットの周端部および内側ネットの基端部の開放形状を維持することができるなど、ネットの取り扱いを簡素化することができる。
【００１４】
また、本発明の別の態様は、洗濯屑を捕集するために設けられた袋状の外側ネットと、外側ネットの周端部の開放形状を維持するために設けられたネット支持具とを有する洗濯屑捕集具であって、捕集された洗濯屑を外側ネットの底部に滞留させるために、外側ネットの周端部と外側ネットの底部との間に外側ネットの縮径部を備え、上記縮径部は、外側ネットの側面に縫製された紐状の弾性部材により、外側ネットを縮径させて形成されたものであり、当該弾性部材が伸張することにより、弾性的に拡径可能であることを特徴とする洗濯屑捕集具である。
【００１５】
この態様によれば、内側ネットがなく、洗濯屑を捕集するために設けられた袋状の外側ネットだけの構成であっても、外側ネットの周端部と外側ネットの底部との間に、捕集された洗濯屑を外側ネットの底部に滞留させるための外側ネットの縮径部を備え、この縮径部が、外側ネットの側面に縫製された紐状の弾性部材により外側ネットを縮径させて形成されたものであるので、洗濯屑捕集具の開口部から底部に向かう水流により、縮径部が拡径して洗濯屑を容易に外側ネットの底部に導入することができるとともに、水流が弱まったり流れの方向が変化した場合には、弾性的に縮径部が縮んで洗濯屑が流出するのを防止することができる。また、洗濯屑の捕集後に手の指等で縮径部を拡径すれば、外側ネットの底部に滞留している洗濯屑を縮径部において通過させ易く、このため、洗濯屑を外側ネットの外側に簡単に取り出すことができる。
【００１６】
【発明の実施の形態】
以下、添付図面を参照しながら本発明の好ましい実施の一形態について詳述する。図１は本発明の実施形態に係る洗濯屑捕集具１０の構成を示す斜視図であり、図２は本発明の実施形態に係る洗濯屑捕集具１０の構成を示す分解斜視図である。また、図３は本発明の実施形態に係る洗濯屑捕集具１０の構成を示す分解断面図である。
【００１７】
図１を参照して、本発明の実施形態に係る洗濯屑捕集具１０は、図略の電気洗濯機等において洗濯屑を捕集するための外側ネット１１と、捕集された洗濯屑が外側ネット１１の外側に逆流することを防止するための内側ネット１２と、外側ネット１１の周端部１１ａ（図２）および内側ネット１２の基端部１２ａ（図２）の開放形状を維持するためのネット支持具１３と、洗濯屑捕集具を洗濯機槽内の水面直下に保つためのフロート１４とを備え、外側ネット１１には、捕集された洗濯屑を外側ネット１１の底部１１ｂに滞留させるための縮径部１５が設けられている。
【００１８】
上記外側ネット１１は、電気洗濯機槽内の洗濯屑を捕集するために設けられたナイロン製メッシュ素材等、柔軟な網状素材からなる矩形の袋状部材であり、網状素材の間隙を通して水流が容易に通過して、洗濯機槽内の洗濯水に含まれる洗濯屑を網状素材の表面に捕集することができる構成になっている。
【００１９】
上記内側ネット１２は、外側ネット１１の周端部１１ａ（図２）の近傍内側に設けられた同じくナイロン製メッシュ素材等、柔軟な網状素材からなる弁状の部材であり、内側ネット１２の基端部１２ａ（図２）が、外側ネット１１の周端部１１ａの近傍内側に縫製されて外側ネット１１と一体になった構造になっており、捕集された洗濯屑が外側ネット１１の外側に逆流することを防止している。内側ネット１２は、基端側、先端側の両側とも開口し、かつ、先端側が基端側よりも小径となっている。なお、内側ネット１２も網状素材の間隙を通して水流が容易に通過するような構造になっているため外側ネット１１と内側ネット１２との内部に水流とともに入った水中の洗濯屑は、内側ネット１２の網状素材にも捕集される構成になっている。
【００２０】
上記縮径部１５は、捕集された洗濯屑を外側ネット１１の底部１１ｂに滞留させるために、内側ネット１２の開口端１２ｂと外側ネット１１の底部１１ｂとの間の外側ネット１１の部分を絞り込んだ部分である。この縮径部１５は、本実施形態では、外側ネット１１の側面に縫製された紐状の弾性部材１５ａにより、外側ネット１１を縮径させて形成されており、洗濯屑を外側ネット１１の外側に簡単に取り出すことができるようにするために、弾性部材１５ａを伸張させて縮径部１５を弾性的に拡径することが可能になっている。
【００２１】
図２を参照して、上記ネット支持具１３は、外側ネット１１の周端部１１ａおよび内側ネット１２の基端部１２ａの開放形状を略円形に維持するために設けられたポリエチレン等、適度な弾力性と柔軟性とを有する合成樹脂からなるリング状の部材であり、本実施形態では、内リング１３ａと外リング１３ｂとから構成されている。内リング１３ａは、断面矩形のリング状部材であり、また、外リング１３ｂは、下方に開口する断面がコの字状に形成されたリング状部材である。
【００２２】
内リング１３ａの上部には棒状の細突起１３ｃが全周にわたって形成されており、外側ネット１１の周端部１１ａが、内側に折り曲げられ、この細突起１３ｃを覆うようにして係止された状態で、外リング１３ｂが内リング１３ａに嵌合されて、外側ネット１１とネット支持具１３とが一体に形成される。
【００２３】
内リング１３ａの中央には、本実施形態では、フロート１４を洗濯屑捕集具１０に係止するためのフロート係止部１３ｄと、フロート係止部１３ｄを内リング１３ａに支持するための断面矩形の４本の梁部材１３ｅが一体に形成されている。
【００２４】
フロート係止部１３ｄは、下方に開口する円錐台形状の部材であり、本実施形態に係る洗濯屑捕集具１０を洗濯機槽内の水面直下に保つためのフロート１４を上面に設けた開孔１３ｆに係止するための４枚の舌片１３ｇを有している。
【００２５】
図３を参照して、上記フロート１４は、塩化ビニール製の柔軟な２枚の円形シート１４ａ、１４ｂの周縁部１４ｃを接着するとともに、下部のシート１４ｂの中央に円形の開口１４ｄを設け、ポリエチレン製等、柔軟で弾力性のある合成樹脂で形成した空気供給のためのノズル部１４ｅを接着したものであり、このノズル部１４ｅから空気を充填して、フロート１４を膨張させて、フロート１４の浮力を形成することができるようになっている。
【００２６】
ノズル部１４ｅには、また、フロート係止部１３ｄにフロート１４を係止するための溝部１４ｋがノズル部１４ｅの周囲に形成されており、この溝部１４ｋとフロート係止部１３ｄの舌片１３ｇが嵌めあってフロート１４とネット支持具１３とを一体に連結することができるように構成されている（図４）。
【００２７】
次に図４を参照して、本実施形態の作用について説明する。
【００２８】
図４は本発明の実施形態に係る洗濯屑捕集具１０の使用状態を示す断面図である。
【００２９】
図４を参照して、洗濯屑捕集具１０は、フロート１４の浮力のために、洗濯機槽内の水面Ｗの直下に保たれ、図略の洗濯機の攪拌翼によって発生する水流Ａにより、洗濯機槽内の洗濯水が洗濯屑捕集具１０の開口部１０ａを通して出入りする。そしてこの洗濯水が出入りする際に、洗濯機槽内の洗濯水に含まれる洗濯屑が外側ネット１１に捕集される。また、一旦捕集された洗濯屑が外側ネット１１の外側に逆流しようとすると、内側ネット１２が弁の機能を発揮して、捕集された洗濯屑が外側ネット１１の外側に逆流することを防止する。
【００３０】
内側ネット１２の下方に捕集された洗濯屑は、さらに、外側ネット１１の縮径部１５を通過して外側ネット１１の底部１１ｂに達する。外側ネット１１の底部１１ｂに達した洗濯屑は、外側ネット１１が縮径部１５において絞り込まれているために、上部に逆流しにくく、外側ネット１１の底部１１ｂに滞留する傾向がある。このため、洗濯機槽内の洗濯屑が外側ネット１１の底部１１ｂに、次々と捕集されていくことになる。
【００３１】
以上説明したように、本実施形態によれば、内側ネット１２の開口端１２ｂと外側ネット１１の底部１１ｂとの間に設けられた外側ネット１１の縮径部１５が、捕集された洗濯屑を外側ネット１１の底部１１ｂに滞留させるので、一旦外側ネット１１に捕集された洗濯屑が外側ネット１１の外側に逆流することをより効果的に防止することができる。
【００３２】
また、外側ネット１１の側面に縫製された紐状の弾性部材１５ａにより、外側ネット１１を縮径させて縮径部１５が形成されており、この縮径部１５は、当該弾性部材１５ａが伸張することにより、弾性的に拡径可能であるので、洗濯屑捕集具１０の開口部１０ａから底部１１ｂに向かう水流Ａにより拡径して洗濯屑を容易に外側ネット１１の底部１１ｂに導入することができるとともに、水流Ａが弱まったり流れの方向が変化した場合には、弾性的に縮径部１５が縮んで洗濯屑が流出するのを防止することができる。また、洗濯屑の捕集後に手の指等で縮径部１５を拡径すれば、外側ネット１１の底部１１ｂに滞留している洗濯屑を縮径部１５において通過させ易く、このため、洗濯屑を外側ネット１１の外側に簡単に取り出すことができる。
【００３３】
さらに、上記外側ネット１１の周端部１１ａの近傍内側に、内側ネット１２の基端部１２ａが、縫製されて外側ネット１１と、内側ネット１２とが一体になっているので、内側ネット１２用のネット支持具が不要になるだけでなく、外側ネット１１の周端部１１ａをネット支持具１３に取り付けるだけで、外側ネット１１の周端部１１ａおよび内側ネット１２の基端部１２ａの開放形状を維持することができるなど、ネットの取り扱いを簡素化することができる。
【００３４】
上述した実施の形態は本発明の好ましい具体例を例示したものに過ぎず、本発明は上述した実施の形態に限定されない。
【００３５】
例えば、外側ネット１１は、必ずしも矩形である必要はなく、円筒形や円錐形など効果的に洗濯屑を捕集することができる袋状の形状であれば、どのような形状であってもよい。
【００３６】
また、ネット支持具１３も必ずしも円形である必要はなく、４角形や多角形など、効果的に外側ネット１１の周端部１１ａと内側ネット１２の基端部１２ａの開放形状を維持することができる形状であれば、４角形や多角形など、どのような形状であってもよい。
【００３７】
次に、縮径部１５は、本実施形態では、外側ネット１１の側面に縫製された紐状の弾性部材１５ａにより、外側ネット１１を縮径させて形成されているが、必ずしも全周である必要はなく、外側ネット１１の周囲において部分的に紐状の弾性部材１５ａを縫製して縮径部１５を形成することにより、縮径部１５が弾性的に拡径可能になるようにしてもよい。
【００３８】
フロート１４は、必ずしも塩化ビニール製の柔軟な２枚の円形シート１４ａ、１４ｂに空気を充填して膨張させる方式のものであることは必須でなく、比重の小さい素材で構成された固形のフロートを用いて浮力を発生させてもよい。
【００３９】
また、フロート１４は、必ずしも必須ではなく、本発明に係る洗濯屑捕集具１０としては、洗濯機槽の内面に吸盤やクリップ等の係止具を用いて取り付ける方式の洗濯屑捕集具であってもよい。
【００４０】
ネット支持具１３の内リング１３ａには必ずしも上部に棒状の細突起１３ｃが全周にわたって形成されている必要はなく、外リング１３ｂが内リング１３ａに嵌合されることにより、ネット支持具１３に強固に係止されるのであれば、特に無くとも良い。
【００４１】
また、ネット支持具１３自体も、必ずしも、図示のように断面がコの字状に形成された外リング１３ｂが内リング１３ａに嵌合されることにより、外側ネット１１とネット支持具１３とが一体に構成される構成に限らず、断面矩形の２つのリング状部材の間に外側ネット１１の周端部１１ａを挟持する方式など、外側ネット１１の周端部１１ａおよび内側ネット１２の基端部１２ａの開放形状を効果的に維持することができるものであれば、種々の設計変更が可能である。
【００４２】
さらに、内側ネット１２がなく、洗濯屑を捕集するために設けられた袋状の外側ネット１１だけの構成であっても、外側ネット１１の周端部１１ａと外側ネット１１の底部１１ｂとの間に、捕集された洗濯屑を外側ネット１１の底部１１ｂに滞留させるための外側ネット１１の縮径部１５を備え、この縮径部１５が、外側ネット１１の側面に縫製された紐状の弾性部材１５ａにより外側ネット１１を縮径させて形成されたものであり、弾性部材１５ａが伸張することにより、弾性的に拡径可能であるならば、一旦外側ネット１１に捕集された洗濯屑が外側ネット１１の外側に逆流することをより効果的に防止することができるという顕著な効果を奏することができる。
【００４３】
その他、本発明の特許請求の範囲内で種々の設計変更が可能であることはいうまでもない。
【００４４】
【発明の効果】
以上説明したように、本発明によれば、外側ネットの縮径部が、捕集された洗濯屑を外側ネットの底部に滞留させるので、一旦外側ネットに捕集された洗濯屑が外側ネットの外側に逆流することをより効果的に防止することができるだけでなく、外側ネットの周端部をネット支持具に取り付けるだけで、外側ネットの周端部および内側ネットの基端部の開放形状を維持することができるので、外側ネットと内側ネットとの両ネットの取り扱いが容易で、製造に係るコストを低減することができるという顕著な効果を奏する。
【図面の簡単な説明】
【図１】  本発明の実施形態に係る洗濯屑捕集具の構成を示す斜視図である。
【図２】  本発明の実施形態に係る洗濯屑捕集具の構成を示す分解斜視図である。
【図３】  本発明の実施形態に係る洗濯屑捕集具の構成を示す分解断面図である。
【図４】  本発明の実施形態に係る洗濯屑捕集具の使用状態を示す断面図である。
【符号の説明】
１０    洗濯屑捕集具
１１    外側ネット
１１ａ  周端部
１１ｂ  底部
１２    内側ネット
１２ａ  基端部
１２ｂ  開口端
１３    ネット支持具
１５    縮径部
１５ａ  弾性部材
【図１】
0003967930.tif 000002
【図２】
0003967930.tif 000003
【図３】
0003967930.tif 000004
【図４】
0003967930.tif 000005